(57)【要約】【課題】  １ビームプッシュプル法などによるトラッキングサーボ制御を行なう場合に、オフセットの無い良好なトラッキング制御を実現する。【解決手段】  トラックに沿ってグルーブ７１が連続的に形成されていると共に、隣接するトラックのグルーブ７１間のランド７２にピット７４が形成された光ディスクに記録された情報を再生する情報再生装置において、トラック方向に２つの光検出部１０１a，１０１ｂに分割された光検出器１００の出力信号Ｌ，Ｒに現れるランドプリピット信号の振幅をそれぞれ検出し、検出した２つのランドプリピット信号の振幅Ｂ０，Ｃ０の差からレンズシフト量を検出してプッシュプル信号Ａのオフセットを補正する。【選択図】        図１
2005149589.tif 000002
【特許請求の範囲】
【請求項１】
光ディスク上に形成されたトラックに光ピックアップからのレーザビームを追随させる光ディスク装置であって、
前記トラックに平行な直線によって第１および第２の光検出部に分割されて前記レーザビームの前記光ディスクからの戻り光を受け、それぞれ前記第１および第２の光検出部の受光強度に応じたレベルの第１および第２の光検出信号を出力する光検出器、
前記第１および第２の光検出信号の差動演算を行なってプッシュプル信号を出力する第１の差動演算器、
前記プッシュプル信号から高周波成分を除去する第１のフィルタ回路、
前記第１の光検出信号に含まれる第１のランドプリピット信号と前記第２の光検出信号に含まれる第２のランドプリピット信号との振幅の差を検出し、検出した振幅の差を示す振幅差検出信号を出力する振幅差検出回路、
前記第１のフィルタ回路によって高周波成分が除去されたプッシュプル信号と前記振幅差検出信号との差動演算を行なってトラッキングエラー信号を出力する第２の差動演算器、および
前記トラッキングエラー信号に従って前記光学ピックアップのレーザビームのトラッキング制御を行なうトラッキング制御回路を備える、光ディスク装置。
【請求項２】
前記振幅差検出回路は、
前記プッシュプル信号に含まれるウォブル信号に同期したタイミング信号を生成するタイミング信号生成器、
前記タイミング信号に同期してそれぞれ前記第１および第２のランドプリピット信号の振幅を検出し、検出した振幅を示す第１および第２の振幅検出信号をそれぞれ出力する第１および第２の振幅検出器、
前記第１および第２の振幅検出信号の差動演算を行なう第３の差動演算器、
前記第１および第２の振幅検出信号の加算演算を行なう加算器、
前記第３の差動演算器の出力信号を前記加算器の出力信号で除算する除算器、
前記除算器の出力信号を平滑化する第２のフィルタ回路、および
前記第２のフィルタ回路の出力信号を増幅して前記振幅差検出信号を生成する増幅器を含む、請求項１に記載の光ディスク装置。
【請求項３】
前記第１の振幅検出器は、
前記タイミング信号に応答してリセットされ、前記第１の光検出信号のピーク値を保持および出力する第１のピークホールド回路、
前記第１のピークホールド回路がリセットされてから第１の時間の経過後に前記第１のピークホールド回路の出力信号をサンプル／ホールドすることにより、前記第１のランドプリピット信号の基準値をサンプル／ホールドする第１のサンプル／ホールド回路、
前記第１のピークホールド回路がリセットされてから前記第１の時間よりも長い第２の時間の経過後に前記第１のピークホールド回路の出力信号をサンプル／ホールドすることにより、前記第１のランドプリピット信号のピーク値をサンプル／ホールドする第２のサンプル／ホールド回路、および
前記第２および第１のサンプル／ホールド回路の出力信号の差動演算を行なって前記第１の振幅検出信号を出力する第４の差動演算器を含み、
前記第２の振幅検出器は、
前記タイミング信号に応答してリセットされ、前記第２の光検出信号のピーク値を保持および出力する第２のピークホールド回路、
前記第２のピークホールド回路がリセットされてから前記第１の時間の経過後に前記第２のピークホールド回路の出力信号をサンプル／ホールドすることにより、前記第２のランドプリピット信号の基準値をサンプル／ホールドする第３のサンプル／ホールド回路、
前記第２のピークホールド回路がリセットされてから前記第２の時間の経過後に前記第２のピークホールド回路の出力信号をサンプル／ホールドすることにより、前記第２のランドプリピット信号のピーク値をサンプル／ホールドする第４のサンプル／ホールド回路、および
前記第４および第３のサンプル／ホールド回路の出力信号の差動演算を行なって前記第２の振幅検出信号を出力する第５の差動演算器を含む、請求項２に記載の光ディスク装置。
【発明の詳細な説明】
【技術分野】
【０００１】
この発明は光ディスク装置に関し、特に、光ディスク用ピックアップのビームのトラッキングを行なう光ディスク装置に関する。
【背景技術】
【０００２】
光ディスクへの情報記録、または再生を行なう光ディスク装置は、ディスク上に形成されたトラックを光ピックアップからのレーザスポットで追従させるトラッキングサーボ制御を行ないながら、そのトラックに情報を記録したり、あるいはそのトラックから情報を再生する処理を行なっている。
【０００３】
トラッキング制御を良好に行なえるように、光ディスクにグルーブと称される案内溝を設けた方式の光ディスクが存在する。本ディスクの一例がＤＶＤ−ＲディスクやＤＶＤ−ＲＷディスクである。図８に上記光ディスク７０を示す。この光ディスク７０において、情報を記録するトラックはグルーブ７１と称され、グルーブ７１とグルーブ７１の間にはランド７２と称される領域が存在する。また、グルーブ７１はウォブル７３と称される一定周期で蛇行した構造を有しており、プッシュプル信号にはこのウォブル成分が重畳されて再生される。このウォブル成分の再生信号をウォブル信号と称する。さらに、ウォブル信号に同期してランド７２にはピット７４が形成されている。ピット７４によりトラックアドレスなどが予め記録されている。以下、ランド７２のピットはランドプリピットと称し、ＬＰＰと記す。ＬＰＰを再生して得られる信号をＬＰＰ信号と称す。プッシュプル信号にはＬＰＰ信号も重畳されて再生される。ビームスポット７５がグルーブ７１に沿うようにトラッキングサーボ制御が行なわれる。
【０００４】
光ディスクに対し、情報の記録再生を実施する技術として、ＬＰＰを有する光ディスクを１ビームプッシュプル法によりトラッキング制御を行なう技術がある（たとえば特許文献１参照）。図９は１ビームプッシュプル法が採用された従来の光ディスク装置を示すブロック図、図１０はその動作を示すタイムチャートである。
【０００５】
図9において、光ディスク１１７はスピンドルモータ１１８で回転駆動される。光ピックアップ１１２内のレーザ源１１３から出力されたレーザ光は、ビームスプリッタ１１６で反射された後、対物レンズ１１５を介して光ディスク１１７上に照射される。ディスク１１７からの戻り光は、ピックアップ１１２内のレーザ光検出器１００で検出される。対物レンズ１１５は、フォーカス制御されるとともに、トラッキングサーボ回路１１１の出力Ｈによりトラッキングコイル１１４を駆動することによってトラッキング制御される。
【０００６】
レーザー光検出器１００は、光ディスク１１７のトラック方向に平行な分割線で2つの光検出部１０１ａ，１０１ｂに分割されている。光検出部１０１ａ，１０１ｂは、光ディスク１１７からの戻り光を受光し、戻り光の光強度に応じたレベルの電気信号Ｌ，Ｒをそれぞれ出力する。差動演算器１０２は、光検出部１０１ａ，１０１ｂの出力信号Ｌ，Ｒの差動演算によりプッシュプル信号Ａ＝Ｒ−Ｌを生成している。プッシュプル信号Ａは、ＬＰＦ（低域フィルタ）１０によって高周波成分を除去されて加算器１１０に与えられるとともに、ＨＰＦ（高域フィルタ）１０４に与えられる。
【０００７】
プッシュプル信号Ａには、図１０に示すように、光ディスクの偏芯成分、ＬＰＰ信号、ウォブル信号が重畳されているが、ＨＰＦ１０４ではプッシュプル信号Ａに含まれる光ディスク１１７の偏芯成分が除去され、ＢＰＦ（定域フィルタ）１０５ではウォブル信号が除去される。そのため、ＢＰＦ１０５の出力信号Ｂは、ＬＰＰ信号のみを有する信号となる。
【０００８】
ピークホールド回路１０６およびボトムホールド回路１０７は、それぞれＢＰＦ１０５の出力信号Ｂからピーク信号Ｃおよびボトム信号Ｄを抽出する。更に、差動演算器１０８によりピーク信号Ｃとボトム信号Ｄの差が演算され、差信号Ｅ＝Ｃ−Ｄが生成される。ＬＰＦ１０９は差信号Ｅを平滑化し、平滑化信号Ｆを生成する。この平滑化信号Ｆは、プッシュプル信号Ａに発生するオフセットを除去するプッシュプル補正信号である。加算器１１０により、平滑化信号ＦがＬＰＦ１０３を通過したプッシュプル信号Ａ′に加算され、トラッキングエラー信号Ｇとなる。トラッキングサーボ回路１１１は、トラッキングエラー信号Ｇに従ってトラッキングコイル１１４を駆動する。
【０００９】
また、ディスクの１周にわたりＬＰＰ信号振幅をディジタルデータとして記録しておき、再生しながらＯＬシフトを補正する手法もある（たとえば特許文献２参照）。
【特許文献１】特開平１１−１６１７４号公報
【特許文献２】特開２００２−２８８８５５号公報
【発明の開示】
【発明が解決しようとする課題】
【００１０】
図１０の波形は、光ディスク１１７からの戻り光の中心が光検出部１０１ａ，１０１ｂの分割線上に存在するときの波形であった。そのため、光検出部１０１ａ，１０１ｂの出力信号Ｌ，ＲにはＲＦ信号およびＬＰＰ信号が現れるが、両者を差動したプッシュプル信号ＡではＲＦ信号が除去され、良好なウォブル信号、ＬＰＰ信号が現れている。
【００１１】
これに対して図１１は、光ディスク１１７からの戻り光の中心が光検出部１０１ａ，１０１ｂの分割線上に無い場合を示している。具体的には、戻り光が光検出部１０１ａの側にシフトしている状態である。このような状態は光ディスク１１７の偏芯により発生する。
【００１２】
光検出部１０１ａ，１０１ｂの出力信号ＬとＲを比較すると、信号ＬのＲＦ信号は、信号ＲのＲＦ信号よりも大きな振幅となる。また、信号ＲのＬＰＰ信号は振幅が減少している。これは光検出部１０１ｂへ入射するＬＰＰからの光が減少しているからである。
【００１３】
このような状態で光検出部１０１ａ，１０１ｂの出力信号Ｌ，Ｒの差動演算を実施したプッシュプル信号Ａでは、図１１に示すようにＲＦ信号が残留する。このプッシュプル信号Ａを図９のＨＰＦ１０４およびＢＰＦ１０５に入力して得られた信号Ｂは、図１１に示すように残留したＲＦ信号の中心電位がＧＮＤレベルになる。したがって、検出すべきＬＰＰのピーク信号Ｃおよびボトム信号Ｄの各々にはＬＰＰ振幅変化を打ち消す方向にオフセットが発生した状態となり、これらを平滑化した平滑化信号Ｆは正確なプッシュプル補正信号としては不適当なものとなっていた。
【００１４】
また、図示しないが特許文献２記載の技術では、ディスク挿入時にディスク１周にわたって、ＬＰＰ振幅などを収集しなければならず、記録再生装置の初期化に時間がかかるという問題点を有していた。
【００１５】
それゆえに、この発明の主たる目的は、トラッキング制御を正確に行なうことが可能な光ディスク装置を提供することである。
【課題を解決するための手段】
【００１６】
この発明に係る光ディスク装置は、光ディスク上に形成されたトラックに光ピックアップからのレーザビームを追随させる光ディスク装置であって、トラックに平行な直線によって第１および第２の光検出部に分割されてレーザビームの光ディスクからの戻り光を受け、それぞれ第１および第２の光検出部の受光強度に応じたレベルの第１および第２の光検出信号を出力する光検出器と、第１および第２の光検出信号の差動演算を行なってプッシュプル信号を出力する第１の差動演算器と、プッシュプル信号から高周波成分を除去する第１のフィルタ回路と、第１の光検出信号に含まれる第１のランドプリピット信号と第２の光検出信号に含まれる第２のランドプリピット信号との振幅の差を検出し、検出した振幅の差を示す振幅差検出信号を出力する振幅差検出回路と、第１のフィルタ回路によって高周波成分が除去されたプッシュプル信号と振幅差検出信号との差動演算を行なってトラッキングエラー信号を出力する第２の差動演算器と、トラッキングエラー信号に従って光学ピックアップのレーザビームのトラッキング制御を行なうトラッキング制御回路とを備えたものである。
【００１７】
好ましくは、振幅差検出回路は、プッシュプル信号に含まれるウォブル信号に同期したタイミング信号を生成するタイミング信号生成器と、タイミング信号に同期してそれぞれ第１および第２のランドプリピット信号の振幅を検出し、検出した振幅を示す第１および第２の振幅検出信号をそれぞれ出力する第１および第２の振幅検出器と、第１および第２の振幅検出信号の差動演算を行なう第３の差動演算器と、第１および第２の振幅検出信号の加算演算を行なう加算器と、第３の差動演算器の出力信号を加算器の出力信号で除算する除算器と、除算器の出力信号を平滑化する第２のフィルタ回路と、第２のフィルタ回路の出力信号を増幅して振幅差検出信号を生成する増幅器とを含む。
【００１８】
また好ましくは、第１の振幅検出器は、タイミング信号に応答してリセットされ、第１の光検出信号のピーク値を保持および出力する第１のピークホールド回路と、第１のピークホールド回路がリセットされてから第１の時間の経過後に第１のピークホールド回路の出力信号をサンプル／ホールドすることにより、第１のランドプリピット信号の基準値をサンプル／ホールドする第１のサンプル／ホールド回路と、第１のピークホールド回路がリセットされてから第１の時間よりも長い第２の時間の経過後に第１のピークホールド回路の出力信号をサンプル／ホールドすることにより、第１のランドプリピット信号のピーク値をサンプル／ホールドする第２のサンプル／ホールド回路と、第２および第１のサンプル／ホールド回路の出力信号の差動演算を行なって第１の振幅検出信号を出力する第４の差動演算器とを含む。第２の振幅検出器は、タイミング信号に応答してリセットされ、第２の光検出信号のピーク値を保持および出力する第２のピークホールド回路と、第２のピークホールド回路がリセットされてから第１の時間の経過後に第２のピークホールド回路の出力信号をサンプル／ホールドすることにより、第２のランドプリピット信号の基準値をサンプル／ホールドする第３のサンプル／ホールド回路と、第２のピークホールド回路がリセットされてから第２の時間の経過後に第２のピークホールド回路の出力信号をサンプル／ホールドすることにより、第２のランドプリピット信号のピーク値をサンプル／ホールドする第４のサンプル／ホールド回路と、第４および第３のサンプル／ホールド回路の出力信号の差動演算を行なって第２の振幅検出信号を出力する第５の差動演算器を含む。
【発明の効果】
【００１９】
この発明に係る光ディスク装置によれば、光ディスクからの戻り光の中心が光検出器の分割線上に存在する場合でも、分割線上に無い場合であってもプッシュプル信号のオフセットに一致した平滑化信号を生成することができ、プッシュプル信号からオフセットを除去したトラッキングエラー信号を生成することができる。このトラッキングエラー信号は光ディスク内の情報の有無にかかわらずオフセットを発生しないため、良好なトラッキング制御を実現できる。
【００２０】
また、ランドプリピット信号の振幅検出の際、高周波信号のピーク値とランドプリピット信号のピーク値を別々にサンプル／ホールドすることにより、正確な振幅を安定に検出することが可能となり、より一層正確なトラッキングエラー信号を生成することができる。
【００２１】
また、本発明ではディスク毎のデータ収集を実施する必要がないため、記録再生装置の初期化時間を短縮することができる。
【発明を実施するための最良の形態】
【００２２】
図１は、この発明の一実施の形態による光ディスク装置の要部を示すブロック図、図２はその動作を示すタイムチャートである。図１を参照して、この光ディスク装置が図９の従来の光ディスク装置と異なる点は、フィルタ１０４，１０１，１０９、ホールド回路１０６，１０７、差動演算器１０８および加算器１１０がＬＰＰ振幅検出器１１，１２、タイミング生成器１３、差動演算器１４，１９、加算器１５、除算器１６、ＬＰＦ１７、およびアンプ１８で置換されている点である。光検出部１０１ａ，１０１ｂの出力信号Ｌ，Ｒは、差動演算器１０２へ入力されるとともに、それぞれＬＰＰ振幅検出器１２，１１へ入力される。
【００２３】
ＬＰＰ振幅検出器１２は、図２に示すように、光検出部１０１ａの出力信号Ｌに現れるＬＰＰ信号の振幅Ｂ０をタイミング信号Ｔ０に応答して検出する。ＬＰＰ振幅検出器１１は、光検出部１０１ｂの出力信号Ｒに現れるＬＰＰ信号の振幅Ｃ０をタイミング信号Ｔ０に応答して検出する。タイミング生成器１３は、プッシュプル信号Ａに同期してタイミング信号Ｔ０を生成する。ＬＰＰ振幅検出器１１，１２およびタイミング生成器１３の構成および動作については、後に詳述する。
【００２４】
ＬＰＰ振幅検出器１１，１２の出力信号Ｃ０，Ｂ０は、差動演算器１４によって差動演算処理されるとともに、加算器１５によって加算演算処理される。差動演算器１４の出力信号Ｄ０＝Ｃ０−Ｂ０は、除算器１６によって加算器１６の出力信号Ｅ０＝Ｃ０＋Ｂ０で正規化される。この正規化処理は、光ディスク１１７の周内における反射率の変動を補正するものであり、また、反射率変動とは別に隣接するトラック間で発生するＬＰＰ振幅変化を補正するものである。
【００２５】
また、除算器１６の出力信号Ｆ０＝Ｄ０／Ｅ０はＬＰＦ１７によって平滑化された後、アンプ１８により増幅される。アンプ１８の出力信号Ｇ０は、差動演算器１９によりＬＰＦ１０３を通過したプッシュプル信号Ａ′と差動演算される。差動演算器１９の出力信号Ａ′−Ｇ０は、トラッキングエラー信号としてトラッキングサーボ回路１１１に入力される。
【００２６】
図２の波形は、光ディスク１１７からの戻り光の中心が光検出部１０１ａ，１０１ｂの分割線上に存在するときの波形であった。そのため、光検出部１０１ａ，１０１ｂの出力信号Ｌ，Ｒには、ＲＦ信号およびＬＰＰ信号が同程度の振幅で現れる。そして、両者を差動したプッシュプル信号Ａでは、ＲＦ信号が除去され、良好なウォブル信号、ＬＰＰ信号が現れている。また、図２に示すように、ＬＰＰ振幅検出器１１，１２の出力信号Ｃ０とＢ０はほぼ同じ振幅を有しており、差信号Ｄ０＝Ｃ０−Ｂ０はゼロとなる。したがって、差信号Ｄ０＝Ｃ０−Ｂ０を加算信号Ｅ０＝Ｃ０＋Ｂ０により除算した結果Ｆ０＝Ｄ０／Ｅ０もほぼゼロである。そして、ＬＰＦ１７およびアンプ１８の出力もほぼゼロである。
【００２７】
次に図３は、光ディスク１１７からの戻り光の中心が光検出部１０１ａ，１０１ｂの分割線上に無い場合を示している。具体的には、戻り光が光検出器１０１ａの側にシフトしている状態である。光検出部１０１ａ，１０１ｂの出力信号Ｌ，Ｒを比較すると、信号ＬのＲＦ信号は、信号ＲのＲＦ信号よりも大きな振幅となる。また、光検出部１０１ｂの出力信号ＲのＬＰＰ信号は振幅が減少している。これは光検出部１０１ｂへ入射するＬＰＰからの光が減少したからである。そのため、同図に示すようにＬＰＰ振幅検出器１１，１２の出力信号Ｃ０，Ｂ０にレベル差が生じる。そのため、差信号Ｄ０＝Ｃ０−Ｂ０はマイナスとなり、除算器１６の出力信号Ｆ０、平滑化信号Ｇ０もマイナスとなる。差動演算器１９により、ＬＰＦ１０３を通過したプッシュプル信号Ａ′のマイナス方向のオフセットを平滑化信号Ｇ０で補正して、オフセットの無いトラッキングエラー信号Ａ′−Ｇ０を生成できる。以上より、光ディスク１１７の情報記録部においても良好なトラッキングサーボ信号を生成することが可能となる。
【００２８】
次に、ＬＰＰ振幅検出器１１，１２の構成および動作について説明する。図４はＬＰＰ振幅検出器１１の構成を示すブロック図である。図４において、ＬＰＰ振幅検出器１１は、ピークホールド回路３１、サンプル／ホールド回路（Ｓ／Ｈ）３２，３３、差動演算器３４、パルス成形器３５、および遅延素子３６，３７を含む。
【００２９】
光検出部１０１ｂの出力信号Ｒは、ピークホールド回路３１に入力される。ピークホールド回路３１は、図示しないがホールド値をリセットレベルまでリセットすることが可能な構成である。ピークホールド回路３１は、タイミング生成器１３の出力信号Ｔ０によってリセットされる。ピークホールド回路３１の出力信号Ｐ１は、サンプル／ホールド回路３２，３３に入力される。サンプル／ホールド回路３２，３３の出力信号Ｐ２，Ｐ３は、差動演算器３４によって差動演算処理されてＬＰＰ振幅検出器１１の出力信号Ｃ０＝Ｐ２−Ｐ３となる。
【００３０】
一方、タイミング生成器１３の出力信号Ｔ０は、パルス成形器３５によりパルス幅τ０のパルスに成形される。このパルス成形器３５は、例えばワンショットマルチバイブレータなどで実現できる。パルス成形器３５の出力信号Ｔ１は、遅延素子３６にてτ１だけ遅延されて信号Ｔ２となる。また、信号Ｔ２は、遅延素子３７にてτ２だけ遅延されて信号Ｔ３となる。
【００３１】
信号Ｔ２は、サンプル／ホールド回路３３を制御する。サンプル／ホールド回路３３は、信号Ｔ２が「Ｌ」レベルの場合はサンプリング動作を行い、信号Ｔ２が「Ｈ」レベルの場合はホールド動作を行なう。また同様に、信号Ｔ３は、サンプル／ホールド回路３２を制御する。サンプル／ホールド回路３２は、信号Ｔ３が「Ｌ」レベルの場合はサンプリング動作を行い、「Ｈ」レベルの場合はホールド動作を行なう。
【００３２】
図５にＬＰＰ振幅検出器１１の動作波形を示す。光検出部１０１ｂの出力信号Ｒをピークホールド回路３１へ入力した際のピークホールド出力Ｐ１は、タイミング生成器１３の出力信号Ｔ０が「Ｈ」レベルの区間τｒはリセットレベルとなり、その他の区間では光検出部１０１ｂの出力信号Ｒのピーク値を検出している。
【００３３】
パルス成形器３５は、タイミング生成器１３の出力信号Ｔ０の立ち上がりエッジに応答して「Ｌ」レベルから「Ｈ」レベルに立ち上がり、サンプル／ホールド回路３２，３３が出力信号をホールドする時間τ０に一致する「Ｈ」区間を有するパルスを生成する。パルス成形器３５の出力信号Ｔ１は遅延素子３６にてτ１遅延されて信号Ｔ２となり、サンプル／ホールド回路３３に入力される。また、信号Ｔ２は遅延素子３７にてτ２遅延され信号Ｔ３となりサンプル／ホールド回路３３に入力される。
【００３４】
また、ピークホールド回路３１の出力信号Ｐ１は、サンプル／ホールド回路３２によりホールドされて信号Ｐ２となり、サンプル／ホールド回路３３によりホールドされて信号Ｐ３となる。差動演算器３４は、信号Ｐ２とＰ３の差を算出する。差動演算器３４の出力信号Ｐ２−Ｐ３は、ＬＰＰ振幅検出器１１の出力信号Ｃ０となる。ＬＰＰ振幅検出器１２は、信号Ｒの代わりに信号Ｌが入力される他は、ＬＰＰ振幅検出器１１と同じである。
【００３５】
次に、タイミング生成器１３について説明する。図６はタイミング生成器１３の構成を示すブロック図、図７はその動作を示すタイムチャートである。ＢＰＦ４１は、プッシュプル信号Ａからウォブル信号を抽出する。コンパレータ４３は、ＢＰＦ４１の出力信号Ａ１と、基準電位発生回路４２の出力電位ＶＲとを比較し、信号Ａ１が基準電位ＶＲよりも高い場合は「Ｈ」レベルを出力し、信号Ａ１が基準電位ＶＲよりも低い場合は「Ｌ」レベルを出力する。したがって、コンパレータ４３の出力信号Ａ２は、ディジタル信号となる。このディジタル信号Ａ２は、ウォブル信号に同期したパルス信号である。このパルス信号Ａ２はパルス幅整形器４４によって所定のパルス幅τｒに整形される。このパルス整形器４４としてはワンショットマルチバイブレータなどが適用される。パルス幅整形器４４の出力信号がタイミング生成器１３の出力信号Ｔ０となる。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３７】
【図１】この発明の一実施の形態による光ディスク装置の要部を示すブロック図である。
【図２】図１に示した光ディスク装置の動作を示すタイムチャートである。
【図３】図１に示した光ディスク装置の動作を示す他のタイムチャートである。
【図４】図１に示したＬＰＰ振幅検出器の構成を示すブロック図である。
【図５】図４に示したＬＰＰ振幅検出器の動作を示すタイムチャートである。
【図６】図１に示したタイミング生成器の構成を示すブロック図である。
【図７】図６に示したタイミング生成器の動作を示すタイムチャートである。
【図８】光ディスクのトラックの構成を示す図である。
【図９】従来の光ディスク装置の構成を示すブロック図である。
【図１０】図９に示した光ディスク装置の動作を示すタイムチャートである。
【図１１】図９に示した光ディスク装置の動作を示す他のタイムチャートである。
【符号の説明】
【００３８】
１１，１２  ＬＰＰ振幅検出器、１３  タイミング生成器、１４，１９，３４，１０２，１０８  差動演算器、１５，１１０  加算器、１６  除算器、１７，１０３，１０９  ＬＰＦ、１８  アンプ、３１，１０６  ピークホールド回路、１０７  ボトムホールド回路、３２，３３  サンプル／ホールド回路、３５  パルス成形器、３６，３７  遅延素子、４１，１０５  ＢＰＦ、４２  基準電位発生回路、４３  コンパレータ、４４  パルス幅整形器、７０，１１７  光ディスク、７１  グルーブ、７２  ランド、７３  ウォブル、７４  ランドプリピット、７５  ビームスポット、１００  レーザ光検出器、１０１ａ，１０１ｂ  光検出部、１０４  ＨＰＦ、１１１  トラッキングサーボ回路、１１２  ピックアップ、１１３  レーザ源、１１４  トラッキングコイル、１１５  対物レンズ、１１６  ビームスプリッタ、１１８  スピンドルモータ。
【図１】
2005149589.tif 000003
【図２】
2005149589.tif 000004
【図３】
2005149589.tif 000005
【図４】
2005149589.tif 000006
【図５】
2005149589.tif 000007
【図６】
2005149589.tif 000008
【図７】
2005149589.tif 000009
【図８】
2005149589.tif 000010
【図９】
2005149589.tif 000011
【図１０】
2005149589.tif 000012
【図１１】
2005149589.tif 000013